(57)【要約】【課題】投入口地上高（約１ｍ以下）の投入口及び排出口地上高（約１．２ｍ以上）の排出口を、前面に上下の位置を構成する片口回転筒ゴミ貯留機を提供する。【解決手段】片口回転筒の内面に螺旋状羽根を設け、螺旋状羽根の内面に接する固定筒を設け、固定筒の内面に下部を投入口にし、上部に排出口を構成する特徴とする。【選択図】  図２
2005200208.tif 000002
【特許請求の範囲】
【請求項１】
横置き円筒状の片口回転筒（１）の前部を開口し、後部を閉鎖し、片口回転筒（１）の内面に螺旋状羽根（２）を設け、片口回転筒（１）の前部に接した固定台（３）に投入口（４）、投入口蓋（５）及び排出口（６）、排出口蓋（７）を設け、
固定台（３）の後部に周定した固定筒（８）を片口回転筒（１）の内部に挿入し、固定筒（８）に後端壁（９）を設け、螺旋状羽根（２）の内面に接して固定筒（８）を設け、
固定筒（８）の内側前下部に投入口（４）を設け、固定筒（８）の内側下部に切欠いた下部開口部（１０）を設け、投入口（４）より下部開口部（１０）へ降下し連通する下傾斜樋（１１）を設け、
固定筒（８）の内側前上部に排出口（６）を設け、固定筒（８）の内側上部に切欠いた上部開口部（１２）を設け、上部開口部（１２）より排出口（６）へ降下し連通する上傾斜樋（１３）を設けるように構成したことを特徴とした片口回転筒ゴミ貯留機。
【発明の詳細な説明】
【技術分野】
【０００１】  前部を開口し後部を閉鎖した片口回転筒ゴミ貯留機に関するものである。
【背景技術】
【０００２】  従来の回転筒ゴミ貯留機に，前部を開口にし、後部を閉鎖した片口回転筒ゴミ貯留機にし、片口回転筒を回転して前部の投入口へゴミを投入し、また片口回転筒を逆回転して後部の排出口からゴミを排出する。
片口回転筒を右回転にして後部へゴミを移送し貯留するために、片口回転筒の内面に左巻の螺旋状羽根を設ける。逆に片口回転筒を左回転にすれば、螺旋状羽根によってゴミを後部から前部へ排出することになる。
逆に片口回転筒の前部から左回転にした場合は、螺旋状羽根を右巻して前部より後部へゴミを投入し移送する。つまり、片口回転筒を右又は左回転によってゴミを投入又は排出に反転することができる。
しかし、ゴミを直に投入する場合には、投入口を投入口地上高（約１ｍ以下）より低くし、逆にゴミを収集車へ排出する場合には、排出口地上高（約１．２ｍ以上）より高い方が作業に便利である。
したがって、投入位置を低くし、または排出位置を高くするために、片口回転筒ゴミ貯留機の下部に昇降機を設けている。
【発明の開示】
【発明が解決しようとする課題】
【０００３】  片口回転筒ゴミ貯留機の前部に対して、一定の作業位置へ投入及び排出作業を行い、有効な面積を設けることができる。
しかし、投入及び排出の高低の位置を変えることが必要になる。そのためには昇降機が必要になるが、便利ではあるが機械のコストは大きく不利益になっている。
したがって、片口回転筒ゴミ貯留機に設けた昇降機を不要にする課題を提供する。
課題について次のように条件を示した。
（イ）投入口の条件として、片口回転筒の前内部に投入口地上高（約１ｍ以下）の投入口を含むこと。
（ロ）排出口の条件として、片口回転筒の後内部に排出口地上高（約１．２ｍ以上）の排出口を含むこと。
（ハ）投入口と排出口を連通しないような固定的な構造にすること。
【課題を解決するための手段】
【０００４】  解決するための手段として、片口回転筒の内面に螺旋状羽根を設け、螺旋状羽根の内面に接する固定筒を設け、投入口と排出口を連通しない一体化した固定筒にして解決した。
すなわち；
（イ）横置き円筒状の片口回転筒の前部を開口し、後部を閉鎖する。片口回転筒の内面に螺旋状羽根を設ける。片口回転筒の前部に接した固定台に投入口、投入口蓋及び排出口、排出口蓋を設ける。
（ロ）固定台の後部に固定した固定筒を片口回転筒の内部に挿入する。固定筒に後端壁を設ける。螺旋状羽根の内面に接して固定筒を設ける。
（ハ）固定筒の内側前下部に投入口を設ける。固定筒の内側下部に切欠いた下部開口部を設ける。投入口より下部開口部へ降下し連通する下傾斜樋を設ける。
（ニ）固定筒の内側前上部に排出口を設ける。固定筒の内側上部に切欠いた上部開口部を設ける。上部開口部より排出口へ降下し連通する上傾斜樋を設けるように構成したことを特徴とする。
【発明の効果】
【０００５】  発明の効果は、固定筒と螺旋状羽根の構成によって、経済的な大きな利益を生ずることができる。
固定筒と螺旋状羽根を接しながら回転することによって、ゴミは上部へ上昇し、下部へ下降し、後部へ移送し、前部へ移送する機能を発揮することになった。
すなわち、固定筒の内面に下部を投入口にし、上部に排出口を構成することで、投入口と排出口の位置を固定的に設定することで、昇降機を不要にした。
従来の昇降機によって、片口回転筒ゴミ貯留機を高い位置に空間を設定する必要があり、昇降作業の時間が多くなり、昇降機のコストも高価になった。
それに対して、昇降機を不要にしたので、片口回転筒ゴミ貯留機は低く小さくなり、作業の時間は少なくなり、機械コストも安価になり、実際的な大きな利益になり、発明の効果は大きい。
【発明を実施するための最良の形態】
【０００６】  以下、本発明の実施の形態について実施例の構造を説明する。
図１は本発明の実施例の前面である正面図、図２は側面断面図（図１の矢視断面Ａ−Ａ）、図３は側面断面図（図１の矢視断面Ｂ−Ｂ）、図４は側面断面図（図１の矢視断面Ｃ−Ｃ）、図５は側面断面図（図１の矢視断面Ｄ−Ｄ）、図６は正面断面図（図２の矢視断面Ｅ−Ｅ）を示す。図中の黒矢印はゴミの移送方向、白矢印は機械の運動方向、Ｒは右回転、Ｌは左回転を示す。
横置き円筒状の片口回転筒（１）の前部を開口し、後部を閉鎖する。片口回転筒（１）の内面に螺旋状羽根（２）を設ける。片口回転筒（１）の前部に接した固定台（３）に投入口（４）、投入口蓋（５）及び排出口（６）、排出口蓋（７）を設ける。
片口回転筒（１）と固定台（３）の間に弾力性のある摺動用シール材等の密封材（１５）を設ける。
固定台（３）を基礎台（１６）の上に固定する。回転軸方向に直角に２個ずつ並置した前軸受台（１７）及び後軸受台（１８）を基礎台（１６）の上に固定し、片口回転筒（１）を支持し回転する。
片口回転筒（１）の外周に大スプロケット（１９）を設け、駆動用モータ（２０）に取付けた小スプロケット（２１）とチェーン（２２）を連結する。
固定台（３）の後部に固定した固定筒（８）を片口回転筒（１）の内部に挿入し、固定筒（８）に後端壁（９）を設け、螺旋状羽根（２）の内面に接して固定筒（８）を設ける。
固定筒（８）の内側前下部に投入口（４）を設け、固定筒（８）の内側下部に切欠いた下部開口部（１０）を設け、投入口（４）より下部開口部（１０）へ降下し連通する下傾斜樋（１１）を設け、
固定筒（８）の内側前上部に排出口（６）を設け、固定筒（８）の内側上部に切欠いた上部開口部（１２）を設け、上部開口部（１２）より排出口（６）へ降下し連通する上傾斜樋（１３）を設ける。【０００７】  以下、本発明の実施例の螺旋状羽根について説明する。
図２の側面断面図（図１の矢視断面Ａ−Ａ）は片口回転筒（１）の左側の断面を示している。実施例として、片口回転筒（１）を右回転にする。図１のゴミの状況によって、片口回転筒（１）の中のゴミは転動しながら左上から右下の傾斜面Ｍになる．
螺旋状羽根（２）は帯状厚板をメスねじの左巻羽根になっており、回転筒の円周に４条の螺旋状羽根（２）を設けている。螺旋状羽根（２）を右回転にし、ゴミを後方へ送り方向にし移送する。
図２の回転中心の上部にある螺旋状羽根（２）ａｂは根元部ａ１から先端部ｂ１までへ法線方向への羽根高さ（２３）にあり、根元部ａ１〜ａ２〜ａ３から先端部ｂ１〜ｂ２〜ｂ３までのつるまき羽根長さ（２４）を示す。
螺旋状羽根（２）の帯状厚板はメスねじの３／４ピッチの長さで示す。図１の点線にも回転中心の上部にある螺旋状羽根（２）の位置を示す。
図２（矢視断面図Ａ−Ａ）に示す片口回転筒（１）の左半分内面の前方に、螺旋状羽根（２）ｃｄの前上部ｃ１ｄ１から後下部ｃ２ｄ２の方向に設ける。
片口回転筒（１）を右へ回転し、片口回転筒（１）の左側内面を上部へ移動する。すると、螺旋状羽根（２）ｃｄの上面からゴミを前上部ｃ１ｄ１から後下部ｃ２ｄの方向へ移動し、螺旋状羽根（２）ｃｄによって片口回転筒（１）の左側後方へゴミを貯留する。
したがって、４条の螺旋状羽根（２）をｃｄ、ｇｈ、ｆｅ，ａｂの順にゴミを掬い、片口回転筒（１）の左側半分の内面にゴミを後方へ移送する。
図４（矢視断面図Ｃ−Ｃ）に示す片口回転筒（１）の右半分内面の前方に、螺旋状羽根（２）ｅｆを前下部ｅ１ｆ１から後上部ｅ２ｆ２の方向に設ける。片口回転筒（１）を右へ回転し、片口回転筒（１）の右側内面を下部へ移動する。すると、螺旋状羽根（２）ｅｆの下面からゴミを前下部ｅ１ｆ１から後上部ｅ２ｆ２の方向へ押付けるが前方へ移動しない。
また、ゴミの転動によって左上から右下の傾斜面Ｍになり、ゴミは右前側に少なくなるので、ゴミを前方へ移動しこぼすことはない。
したがって、４条の螺旋状羽根（２）によって回転筒（１）の右側半分の内面にゴミを前方へ移送せず、後方へゴミを貯留する。【０００８】  以上のような構成を使用するときは次のようにする。
（イ）ゴミを投入する場合は次のように使用する。
まず駆動用モータ（２０）によって、小スプロケット（２１）、大スプロケット（１９）及びチェーン（２２）を介して、片口回転筒（１）を右回転へ駆動する。投入口蓋（５）を開き、投入口（４）へゴミを投入する。投入口（４）より下傾斜樋（１１）へ通って固定筒（８）の中へゴミを投入する。固定筒（８）の下部開口部（１０）の他は密閉されている。
固定筒（８）の下部開口部（１０）より螺旋状羽根（２）の上にゴミを降下する。螺旋状羽根（２）を右回転しながら、螺旋状羽根（２）と固定筒（８）の円周外面の間に接して、隙間（２５）を設ける。隙間（２５）にゴミを挟みながら、螺旋状羽根（２）に沿って左側内面の上部へ移動し、ゴミを上部から後方へ移送し貯留する。
固定筒（８）の後部を削除して前傾斜壁（２６）を構成し、左側の上部へ移動するゴミを固定筒（８）の右側前部へ移動しないようにする。
また、片口回転筒（１）を右回転ニする場合は、ゴミの転動の傾斜面Ｍによってゴミは右前側に少なくなるので、ゴミを右側の前方へ移動しこぼすことはない。
したがって、固定筒（８）の後端壁（９）の後方へゴミを貯留する。
（ロ）ゴミを排出する場合は次のように使用する。
同じように駆動用モータ（２０）によって始動し、片口回転筒（１）を左回転へ駆動する。螺旋状羽根（２）を左回転しながら、螺旋状羽根（２）と固定筒（８）の円周外面の間に接して、隙間（２５）を設ける。隙間（２５）にゴミを挟みながら、螺旋状羽根（２）に沿って右側内面の上部へ移動し、ゴミを上部から前方へ移送する。
ついで固定筒（８）の上部開口部（１２）へゴミを押上げ、上傾斜樋（１３）の上部より傾斜してゴミを滑動し、排出口（７）より排出する。
【実施例１】
【０００９】  本発明の実施の形態について別の螺旋状Ｔ型羽根（２７）の実施例を説明する。
図７は正面断面図の螺旋状Ｔ型羽根の概要図を示す。
螺旋状羽根（２）と固定筒（８）の円周外面の間に接して、隙間（２５）を設けるが、固形ゴミの場合は、ゴミを隙間（２５）に挟みながら、ゴミを上部から後方へ移送する。しかし、顆粒粉体のゴミの場合は、隙間（２５）が粗くゴミを通すので、ゴミを上部へ移送することができない。したがって、螺旋状Ｔ型羽根（２７）の形状を実施する。
螺旋状Ｔ型羽根（２７）はＴ型帯状厚板をメスねじの左巻羽根になっており、回転筒の円周に４条の螺旋状Ｔ型羽根（２７）を設けている。螺旋状Ｔ型羽根（２７）を右回転にし、ゴミを後方へ送り方向にし移送する。
図７の回転中心の上部にある螺旋状Ｔ型羽根（２７）ｊｋｎは根元部ｊから先端部ｋ，Ｔ型の平板部ｎまでへ法線方向への羽根高さになっている。
螺旋状Ｔ型羽根（２７）ｊｋｎは根元部ｊ１〜ｊ４から平板部ｎ１〜ｎ４までの３／４ピッチのつるまき羽根長さを示す。
固定筒（８）の下部開口部（１０）より螺旋状Ｔ型羽根（２７）の上にゴミを降下する。螺旋状Ｔ型羽根（２７）を右回転しながら、螺旋状Ｔ型羽根（２７）と固定筒（８）の円固外面の間に接して、隙間（２５）を設ける。
隙間（２５）に固形ゴミを挟む場合には、螺旋状Ｔ型羽根（２７）に沿って左側内面の上部へ移動し、ゴミを上部から後方へ移送し貯留する。
また、螺旋状Ｔ型羽根（２７）ｊｋｎのＴ型平板部の羽根高さの間に溝の形状をしているので、羽根高さが水平になっても顆粒粉体のゴミをこぼすことはない。
図７の場合でも、螺旋状Ｔ型羽根（２７）を右回転する。螺旋状Ｔ型羽根（２７）と固定筒（８）の円周外面の間に接して、隙間（２５）を設ける場合には、隙間（２５）にゴミを挟んだり、螺旋状Ｔ型羽根（２７）の溝の形状に顆粒粉体のゴミを掬ったりして、左則内面の上部へ移動し、ゴミを上部から後方へ移送する。
【図面の簡単な説明】
【００１０】
【図１】は本発明の実施例の前面である正面図を示す。
【図２】は本発明の実施例の側面断面図（図１の矢視断面Ａ−Ａ）を示す。
【図３】は本発明の実施例の側面断面図（図１の矢視断面Ｂ−Ｂ）を示す。
【図４】は本発明の実施例の側面断面図（図１の矢視断面Ｃ−Ｃ）を示す。
【図５】は本発明の実施例の側面断面図（図１の矢視断面Ｄ−Ｄ）を示す。
【図６】は本発明の実施例の正面断面図（図２の矢視断面Ｅ−Ｅ）を示す。
【図７】は本発明の別の実施例について正面断面図の螺旋状Ｔ型羽根の概要図を示す。
【符号の説明】
【００１１】    １      片口回転筒
２      螺旋状羽根
３      固定台
４      投入口
５      投入口蓋
６      排出口
７      排出口蓋
８      固定筒
９      後端壁
１０      下部開口部
１１      下傾斜樋
１２      上部開口部
１３      上傾斜樋
【図１】
2005200208.tif 000003
【図２】
2005200208.tif 000004
【図３】
2005200208.tif 000005
【図４】
2005200208.tif 000006
【図５】
2005200208.tif 000007
【図６】
2005200208.tif 000008
【図７】
2005200208.tif 000009